(57)【要約】      （修正有）【課題】ランニングコストを抑え、ボンベの設置場所を自由に設計できるボンベスタンドを提供する。【解決手段】ボンベスタンド１は、ボンベＢを設置する台座１０と、ボンベＢを固定する枠部２０と、ボンベＢへの日射を防ぐ遮光部３０と、太陽光により発電する発電部４０とを備える。発電部４０は、太陽光により発電する太陽光パネル４１と、太陽光パネル４１からの電力をボンベＢ内のガスを昇圧する昇圧器５０に供給する供給部４２とを備える。【選択図】図１
0003227851.tif 000002
【実用新案登録請求の範囲】
【請求項１】
ボンベを設置する台座と、ボンベを固定する枠部と、ボンベへの日射を防ぐ遮光部と、太陽光により発電する発電部とを備え、
前記発電部は、太陽光により発電する太陽光パネルと、前記太陽光パネルからの電力をボンベ内のガスを昇圧する昇圧器に供給する供給部とを備えたことを特徴とするボンベスタンド。
【請求項２】
前記遮光部は、ボンベの上方を覆う屋根部と、前記屋根部に取り付けられてボンベの正面を覆う簾部と、前記屋根部を支持する支持部とを備えたことを特徴とする請求項１に記載のボンベスタンド。
【請求項３】
前記太陽光パネルは、前記屋根部の上面に配設され、
前記屋根部は、前方に向けて下るよう傾斜を有して配設されたことを特徴とする請求項２に記載のボンベスタンド。
【請求項４】
さらに前記簾部が、前記屋根部の左右両端から垂下するように、前記屋根部の左右両端に沿って取り付けられたことを特徴とする請求項３に記載のボンベスタンド。
【請求項５】
さらに、台座上に設置されたボンベの重量を測定する重量計と、
前記重量計が測定したボンベの重量を示す重量情報を取得する制御部とを備え、
前記制御部は、取得した前記重量情報と、予め記憶されたボンベが空のときの重量を示す情報から、ボンベ内のガスの残量を算出し、算出したガスの残量を示す情報を情報端末に送信するよう構成されたことを特徴とする請求項１に記載のボンベスタンド。
【考案の詳細な説明】
【技術分野】
【０００１】
本考案は、栽培ハウスの屋外において、例えば、二酸化炭素等の植物に施用する気体が封入されたボンベを、直立状態で設置するためのボンベスタンドに関する。
【背景技術】
【０００２】
従来、ボンベを直立状態で設置するボンベスタンドとして、種々のものが提案されており、例えば、特許文献１に記載されたものが公知である。
【先行技術文献】
【特許文献】
【０００３】
【特許文献１】特開２００３−１８５０９８号
【考案の概要】
【考案が解決しようとする課題】
【０００４】
ここで、栽培ハウスの屋外において、二酸化炭素等の植物に施用する気体が封入されたボンベを設置する場合、一般に、ボンベ内のガスを昇圧する昇圧器を使用するが、この昇圧器の消費電力は、栽培ハウスのランニングコストを増加させる原因となっており、また、電源確保のために、ボンベの設置場所が制約される問題が生じている。
【０００５】
そこで、本考案は、ランニングコストを抑え、ボンベの設置場所を自由に設計できるボンベスタンドを提供する。
【課題を解決するための手段】
【０００６】
上記の目的を達成するために、第１の考案は、
ボンベを設置する台座と、ボンベを固定する枠部と、ボンベへの日射を防ぐ遮光部と、太陽光により発電する発電部とを備え、
前記発電部は、太陽光により発電する太陽光パネルと、前記太陽光パネルからの電力をボンベ内のガスを昇圧する昇圧器に供給する供給部とを備えたことを特徴とするボンベスタンドを提供する。
【０００７】
上記第１の考案によれば、供給部によって、昇圧器に太陽光パネルからの電力を供給できる。その結果、ランニングコストを抑えることができ、加えて、電源の確保が難しい場所での運用が可能となる。これにより、ボンベの設置場所を自由に設計できる。
【０００８】
第２の考案は、上記第１の考案において、前記遮光部は、ボンベの上方を覆う屋根部と、前記屋根部に取り付けられてボンベの正面を覆う簾部と、前記屋根部を支持する支持部とを備えたことを特徴とする。
【０００９】
上記第２の考案によれば、屋根部及び簾部によって、台座上に設置されたボンベへの日射を良好に遮ることができる。これにより、発電部の発電効率を向上させるために、ボンベスタンドを日当たりのよい場所に設置しても、ボンベの温度上昇を抑えることができる。
【００１０】
第３の考案は、上記第２の考案において、前記太陽光パネルは、前記屋根部の上面に配設され、前記屋根部は、前方に向けて下るよう傾斜を有して配設されたことを特徴とする。
【００１１】
上記第３の考案によれば、太陽光パネルの１日の受光量が大きくなり、発電効率が向上する。さらに、雨や粉塵が屋根部上面に滞留することを防止できる。また、簾部を巻回して屋根部上に載置し易い。
【００１２】
第４の考案は、上記第３の考案において、
さらに前記簾部が、前記屋根部の左右両端から垂下するように、前記屋根部の左右両端に沿って取り付けられたことを特徴とする。
【００１３】
上記第４の考案によれば、ボンベの左右両側を覆い、遮光性をさらに向上できる。
【００１４】
第５の考案は、上記第１の考案において、
さらに、台座上に設置されたボンベの重量を測定する重量計と、
前記重量計が測定したボンベの重量を示す重量情報を取得する制御部とを備え、
前記制御部は、取得した前記重量情報と、予め記憶されたボンベが空のときの重量を示す情報から、ボンベ内のガスの残量を算出し、算出したガスの残量を示す情報を情報端末に送信するよう構成されたことを特徴とする。
【００１５】
上記第５の考案によれば、制御部が、ボンベの重量に基づき、ボンベ内のガスの残量を算出し、ガスの残量に関する情報を含む報知情報を情報端末に送信するため、作業者は、ボンベ内の正確なガスの残量を知得できる。
【考案の効果】
【００１６】
本考案によれば、ランニングコストを抑え、ボンベの設置場所を自由に設計できるボンベスタンドを提供できる。
【図面の簡単な説明】
【００１７】
【図１】本考案の好ましい実施形態に係るボンベスタンドの概略正面図である。
【図２】同上の右側面図である。
【図３】同上の分解斜視図である。
【図４】図４は、図１のボンベスタンドの制御部の制御ブロック図である。
【図５】図５は、別の実施形態に係るボンベスタンドの概略正面図である。
【考案を実施するための形態】
【００１８】
本考案の実施の形態を図に基づいて説明する。
なお、以下の説明においては、図１の紙面手前方向を「前」とし、その逆を「後」とし、紙面右側を「右」、左側を「左」として前後左右を表す。
【００１９】
［第１実施形態］
図１は、本考案の好ましい実施形態にかかるボンベスタンド１の概略正面図であり、図２は、右側面図であり、図３は分解斜視図である。なお、説明の便宜上、図３においては、後述する供給部４２及び昇圧器５０、制御部Ｃ等の記載を省略している。
【００２０】
本考案に係るボンベスタンド１は、図１ないし図３に示されるように、基本構成として、ボンベを設置する台座１０、ボンベＢを固定する枠部２０、ボンベＢへの日射を防止する遮光部３０、太陽光を受けて発電する発電部４０を備えている。以下、各構成について詳細を説明する。
【００２１】
台座１０は、上面に複数のボンベＢを直立状態で設置可能な矩形状の鋼板で形成されている。なお、本実施形態において、台座１０の左右幅は、台座１０上に４本のボンベＢを設置可能な幅寸法に設けられているが、台座１０に設置するボンベＢの数及び台座１０の幅寸法は、これに限定されない。
【００２２】
枠部２０は、剛性のアングル材を組み合わせて形成された左右の支柱２１，２１が台座１０上に立設されており、この左右の支柱２１，２１には、上から順に、アングル材で形成された上桟部材２２、中桟部材２３、下桟部材２４が横架されている。なお、左右の支柱２１，２１、上桟部材２２、中桟部材２３、下桟部材２４は、それぞれ、金属製の角鋼管からなるフレーム材を組み付けて形成されてもよい。
【００２３】
上桟部材２２には、ガスを通気するための中空の管状体であるガス管２５、ハンドルの回動操作によりガスの出力を操作する手動操作バルブ２６、ガス管２５とボンベＢを連結するボンベ連結管２７が配設されている。また、ガス管２５の端部には、入口圧力を計測する圧力計と、流出口からの流量を計測する流量計と、前記流量を調整する流量調整バルブとを一体的に備えた構造の流量計付圧力調整器２８が接続され、ボンベＢから栽培ハウスに導入するガスの流量を調整可能となっている。
【００２４】
中桟部材２３及び下桟部材２４には、それぞれ、ボンベＢの胴部に掛け渡されるチェーン２９が設けられており、このチェーン２９は、ボンベＢに巻き掛けることで転倒等を防止する機能を果たす。
【００２５】
遮光部３０は、ボンベＢの上方を覆う屋根部３１、ボンベＢの正面を覆う簾部３２、屋根部３１を支持する支持部３３を備えている。
【００２６】
支持部３３は、剛性のパイプ材で形成され、台座１０の左右にそれぞれ同一形状のものが配設されている。左右の支持部３３は、それぞれ、下端から上方へと垂直に延びる垂直部３３ａと、上端で屈曲された屈曲部３３ｂとを備えており、下端が台座１０に固定され、屈曲部３３ｂの上部に、屋根部３１が取り付けられている。なお、支持部３３の垂直部３３ａは、屋根部３１がボンベＢの上方に位置するよう高さ寸法が設定されている。
【００２７】
屋根部３１は、日射や降雨を遮蔽可能な部材（例えば、木材、樹脂、金属等）で形成されており、矩形板状をなしている。ここで、支柱部３３の屈曲部３３ｂは、前方に向けて下る傾斜を有し、屋根部３１も同様の傾斜を有して配設されている。これにより、雨や粉塵が屋根部３１上面に滞留することを防止し、さらに、後述する簾部３２を巻回して屋根部３１上に載置し易い。
【００２８】
簾部３２は、合成樹脂製の糸部材を編み繋いで微細な隙間を有するよう形成された略長方形の遮光用シートであり、屋根部３１前端から垂下するようにして屋根部３２前端に沿って取り付けられている。このように形成された簾部３２は、正面（前面）におけるボンベＢへの日射を遮りつつ、風を通して通気性を確保できる。これにより、ボンベＢの温度上昇を良好に抑えることができる。なお、図１及び図３に示される簾部３２は、説明の便宜上、下側が切り欠かれて図示されているが、簾部３２は、ボンベＢの胴部下端までを覆う長さに設けられている。また、簾部３２は、ボンベＢの交換作業時等において、巻回して屋根部３１上に載置可能となっている。
【００２９】
以上のように構成された屋根部３１は、屋根部３１及び簾部３２によって、台座１０上に設置されたボンベＢへの日射を良好に遮ることができる。これにより、後述する発電部４０の発電効率を向上させるために、ボンベスタンド１を日当たりのよい場所に設置しても、ボンベＢへの日射を遮り温度上昇を抑えることができる。
【００３０】
発電部４０は、太陽光により発電する太陽光パネル４１、太陽光パネル４１からの電力を後述する昇圧器５０を含む各種機構に供給する供給部４２とを備えている。
【００３１】
太陽光パネル４１は、矩形の基板上に太陽光発電セルをマトリクス状に配列し、更に太陽光発電セル上にガラス板を重ねた構成である。太陽光発電セルは、太陽光発電素子を複数個マトリクス状に配列した構成であり、これらの太陽光発電素子が太陽光を受光することによって発電が行われる。太陽光パネル４１は、屋根部３１の上面に配設され、屋根部３１とともに傾斜しており、これにより、１日における受光量の総量が増加するように構成されている。その結果、発電効率が向上するよう構成されている。
【００３２】
接続箱４３は、太陽光パネル４１と電気的に接続され、太陽光パネル４１からの直流電源を蓄電池４４とＤＣ−ＡＣ変換器４５側に分岐させる。
【００３３】
蓄電池４４は、太陽光パネル４１が発電した電力を蓄積する充電電池であり、余剰の電気を充電可能となっている。
【００３４】
ＤＣ−ＡＣ変換器４５は、太陽光パネル４１からの直流電源を交流電源に変換する。この交流電源によって、例えば、太陽光パネル４１により発電された電気を各種の電気機器に使用することが可能になる。より詳細には、ＤＣ−ＡＣ変換器４５は、後述する昇圧器５０のヒータ５４、重量計７０、制御部Ｃと接続され、これらに電力を供給可能に構成されている。
【００３５】
ここで、接続箱４３は、図示しない制御部を備えており、この制御部は、蓄電池４４に充電された電気の供給先と供給量を制御する機能を有する。さらに、この制御部は、蓄電池４４の充電量を取得可能に構成され、太陽光パネル４１が発電しているとき、ＤＣ−ＡＣ変換器４５を介して、昇圧器５０に電気を供給し、太陽光パネル４１が発電していないとき、昇圧器５０への電気の供給を停止するよう制御する。このように構成することで、昇圧器５０を駆動する必要性に乏しい夜間においては、昇圧器５０への電気の供給を停止して、省エネ化することができる。なお、この際、制御部にＧＰＳ時計を設けて、ＧＰＳ時計によって夜間を判断するように構成してもよい。
【００３６】
昇圧器５０は、ボンベＢ内のガスを昇圧する公知の装置であり、水分除去装置５１、圧縮機５２などを備えている。
【００３７】
水分除去装置５１は、水分吸着剤が封入された筒状の密閉容器５３、この密閉容器５３の胴回りに配設された電気ヒータ５４、エアー配管５５を介して密閉容器５３の一端のガス入口部に接続された開閉弁５６、エアー配管５７を介して密閉容器５３の他端のガス出口部に接続された開閉弁５８・ポンプ５９などからなり、ガス入口部には開閉弁６１を備えたガス配管６０の一端が接続し、ガス出口部には開閉弁６２を備えたガス配管６３の一端が接続している。なお、開閉弁５６・５８は通常時に閉弁し、各エアー配管を封止している。
【００３８】
水分除去装置５１に使用する水分吸着剤は、加熱されると吸着していた水分を分離放出して水分の再吸着が可能になるものである。電気ヒータ５４は、供給部５０から電力供給を受けて、密閉容器５３内の加熱を行う。なお、供給部５０からの電力が不足する場合は、他の電源を利用可能となっている。
【００３９】
圧縮機５２は、多段圧縮機構を備えて形成されるものであり、そのガス入口部には開閉弁６４を備えると共に、ガス出口部には開閉弁６５を備えたガス配管６６が接続されて、ボンベＢに接続可能となっている。
【００４０】
昇圧器５０の制御器２０は、図示しないスイッチ・条件設定手段・入出力ポート・マイコン・メモリー・時計ＩＣなどからなり、開閉弁５６・５８・６１・６２・６４・６５はこの制御器２０によって開閉制御される。また、電気ヒータ５４についても制御器２０により通電が制御される。このように構成された昇圧器５０は、運転スイッチが投入されると、ガス配管６７から供給されるガスに含まれる水分を水分除去装置５１で除去し、こうして乾燥したガスを圧縮機５２で所定の圧力に圧縮して、ガス配管６６からボンベＢに供給し充填する。
【００４１】
重量計７０は、台座１０上に配設され、ボンベＢの重量を測定し、測定したボンベＢの重量を示す重量情報を、無線通信により、後述する制御部Ｃに送信する機能を有する。なお、本実施形態において、４本のボンベＢを設置可能な台座１０の幅寸法に合わせて、４つの重量計７０が台座１０上に配設されているが、重量計７０の数は、これに限定されるものではない。
【００４２】
図４は、図１のボンベスタンド１の制御部Ｃの制御ブロック図である。
制御部Ｃは、ＣＰＵ、ＲＯＭおよびＲＡＭ等を含む周知のマイクロコンピュータとその周辺回路から構成された制御装置であり、演算処理に必要な情報を読み書き可能なメモリとを備えて構成され、メモリに記憶された各種プログラムに従ってＣＰＵが動作することにより、ブロック中に示す各種の機能が実現される。各種の機能が実現される。なお、制御部Ｃは、電子回路を保護する筐体に収容されて適宜の場所に配設される。
【００４３】
制御部Ｃは、入力部９１、重量計７０、無線通信部９２が接続されており、ボンベ残量算出部ｃ１、ボンベ残量通知部ｃ２を備えている。
【００４４】
入力部９１は、操作キー等から構成され、ユーザから各種情報の入力を受け付ける。
【００４５】
無線通信部９２は、無線ＬＡＮ（Local  Area  Network）等を介して外部の機器と通信を行うインタフェースを備え、図示しないアンテナを介して重量計７０及び情報端末８０と無線通信を行う。
【００４６】
ボンベ残量算出部ｃ１は、無線通信部９２を介して、重量計７０から送られてくる重量情報を所定の時間間隔で取得する。ここで、重量情報には、複数の重量計７０を一意に識別する識別情報が含まれている。したがって、ボンベ残量算出部ｃ１は、取得した重量情報から、重量情報に含まれる重量の測定値が、どの重量計７０に設置されたボンベＢの重量なのかを判断し、重量計７０毎、すなわち、台座１０上に配設されたボンベＢ毎に重量をリアルタイムで把握することが可能となっている。
【００４７】
また、ボンベ残量算出部ｃ１には、ボンベＢ毎、すなわち、重量計７０毎にボンベＢ内のガスが空のときのボンベＢの重量が、ユーザによって、入力部９１から入力されて予め記憶されている。これにより、ボンベ残量算出部ｃ１は、取得したボンベＢの重量の測定値と予め記憶されたボンベＢが空のときの重量の差分を計算することによって、ボンベＢ内のガスの重量を算出する。これにより、算出したボンベＢ内のガスの重量から、ボンベＢ毎、すなわち、重量計７０毎にボンベＢ内のガスの残量が算出可能となっている。このように、ボンベＢの重量に基づいてボンベＢ内のガスの残量を算出する構成によれば、ボンベＢ内の圧力を測定してガスの残量を算出する方法と比べ、より正確な残量を把握することができる。
【００４８】
ボンベ残量通知部ｃ２は、ボンベ残量算出部ｃ１から、算出された重量計７０毎のボンベＢ内のガスの残量を取得し、ボンベＢ内のガスの残量が、設定値以下となった場合に、これをユーザに報知するため、無線通信部９２を介して、メール形式でガスの残量が少ない、あるいは無くなったことを報知するアラート（報知情報）を情報端末８０に送信する。なお、この設定値は、ボンベＢ毎、すなわち、重量計７０毎に、ユーザによって、入力部９１から入力されて予め記憶されており、入力部９１からの入力により、ユーザの所望の値に随時変更が可能となっている。
【００４９】
また、ボンベ残量通知部ｃ２は、無線通信部９２を介し、情報端末８０からの要求に応じて、ボンベ残量算出部ｃ１によって算出された重量計７０毎のボンベＢ内のガスの残量を情報端末８０に送信する。これにより、ユーザは、随時、情報端末８０からボンベＢ内のガスの残量を確認することが可能となっている。
【００５０】
情報端末８０は、インターネット回線に接続可能であり、メール等の情報の表示機能を備えた情報処理装置であれば、特に限定されない。例えば、パーソナルコンピュータ等の汎用コンピュータや、モバイルコンピュータや、携帯電話機等も含まれる。
【００５１】
以上のように構成されたボンベスタンド１は、発電部３０により発電した電気をボンベＢ内のガスを昇圧する昇圧器５０に供給可能に構成されているため、ランニングコストを抑えることができ、加えて、電源の確保が難しい場所での運用が可能となる。これにより、ボンベＢの設置場所を自由に設計できる。また、ボンベＢに二酸化炭素が充填されている場合は、栽培ハウスの栽培植物は、太陽光が出ている日中しか光合成を行わないため、昇圧器５０による昇圧が必要なのは、栽培ハウスの栽培植物に二酸化炭素が供給される日中となる。そのため、日中に太陽光パネル４１の発電を利用して昇圧器５０を駆動し、良好にランニングコストを低減することができる。
【００５２】
加えて、制御部Ｃが、ボンベＢの重量に基づき、ボンベＢ内のガスの残量を算出し、さらに、算出されたガスの残量に応じて、報知情報をメール形式で情報端末８０に送信するよう構成されているため、ユーザは、ボンベＢ内の正確なガスの残量を適切なタイミングで知得することができる。
【００５３】
以上、本考案の好ましい実施形態について詳述したが、本考案は、上記に説明した実施形態等に限定されるものではない。したがって、本考案の要旨の範囲内において、実施形態は、種々の変形又は変更が可能である。例えば、上記実施形態は、以下のように変更して実施してもよい。
【００５４】
簾部３２は、屋根部３１前端から垂下するように屋根部３２前端に沿って取り付けられるよう構成したが、屋根部３１の左右両端にも同様に、屋根部３１左右両端からそれぞれ垂下するよう簾部３２を設けて、ボンベＢの左右両側を覆い、遮光性を向上するようにしてもよい。
【００５５】
また、上記実施形態において、ボンベ残量算出部ｃ１に記憶されるボンベＢ内のガスが空のときのボンベＢの重量の設定と、ボンベ残量通知部ｃ２の設定値の設定及び変更は、入力部９１からユーザの操作を受け付けることにより行われるが、情報端末８０からユーザの入力操作を受け付けて、情報端末８０に入力された情報を、無線通信部９２を介して制御部Ｃが取得することで行われるようにしてもよい。
【００５６】
［第２実施形態］
図５は、別の実施形態に係るボンベスタンド１の概略正面図である。
次に、第２実施形態について説明するが、第１実施形態と同等の構成要素については、同一の符号を付して説明を省略し、異なった点を中心に述べる。ここで、第２実施形態のボンベスタンド１は、遮光部３０を、台座１０及び枠部２０を収納可能なボンベ収納庫として構成したものである。
【００５７】
第２実施形態に係る遮光部３０は、枠部２０の正面及び上下を除く三方を囲む側壁部９０と、ボンベ収納庫の正面を開閉可能なシャッター部９１と、側壁部９０上に配設された屋根部９１を備えている。
【００５８】
シャッター部９１は、上下に摺動して開閉可能な公知のシャッター機構である。また、屋根部９１は、前方に向けて下る傾斜を有しており、屋根部９１上に発電部４０が設けられている。
【００５９】
また、側壁部９０には、外気を取り込む換気ファン９３が設けられ、この換気ファン９３は、ＤＣ−ＡＣ変換器４５と接続されて供給部４２から電源供給を受けるよう構成されている。これにより、太陽光を利用して、換気ファン９３を駆動し、ボンベ収納庫内を換気することで温度上昇を抑えることができる。
【符号の説明】
【００６０】
１  ボンベスタンド
１０  台座
２０  枠部
２１  支柱
２２  上桟部材
２３  中桟部材
２４  下桟部材
２５  ガス管
２６  手動操作バルブ
２７  ボンベ連結管
２８  流量計付圧力調整器
２９  チェーン
３０  遮光部
３１  屋根部
３２  簾部
３３  支持部
３３ａ  垂直部
３３ｂ  屈曲部
４０  発電部
４１  太陽光パネル
４２  供給部
４３  接続箱
４４  ＤＣ−ＡＣ変換器
５０  昇圧器
５１  水分除去装置
５２  圧縮機
５３  密閉容器
５４  電気ヒータ
７０  重量計
８０  情報端末
９１  入力部
９２  無線通信部
Ｂ  ボンベ
Ｃ  制御部
ｃ１  ボンベ残量算出部
ｃ２  ボンベ残量設定部
【図１】
0003227851.tif 000003
【図２】
0003227851.tif 000004
【図３】
0003227851.tif 000005
【図４】
0003227851.tif 000006
【図５】
0003227851.tif 000007